(57)【要約】【課題】画像データを生成する機能の処理能力を向上させることなく、連続的な画像データを表示することを可能とする画像表示装置を提供する。【解決手段】画像データを生成する画像データ生成手段（５）と、画像データ生成手段（５）により生成した第１の画像データを保持する第１のデータ保持手段（２）と、画像データ生成手段（５）により生成した第２の画像データを保持する第２のデータ保持手段（３）と、第１の画像データと、第２の画像データと、を半透過合成し、補完画像データを生成する半透過合成手段（１）と、第１の画像データと、第２の画像データと、補完画像データと、を表示する表示手段（４）と、を有し、表示手段（４）は、第１の画像データと、第２の画像データと、の間に、少なくとも１つの補完画像データを介在させて表示する。【選択図】図１
2007219078.tif 000002
【特許請求の範囲】
【請求項１】
画像データを生成する画像データ生成手段と、
前記画像データ生成手段により生成した第１の画像データを保持する第１のデータ保持手段と、
前記画像データ生成手段により生成した第２の画像データを保持する第２のデータ保持手段と、
前記第１のデータ保持手段により保持された第１の画像データと、前記第２のデータ保持手段により保持された第２の画像データと、を半透過合成し、補完画像データを生成する半透過合成手段と、
前記第１のデータ保持手段により保持された第１の画像データと、前記第２のデータ保持手段により保持された第２の画像データと、前記半透過合成手段により生成した補完画像データと、を表示する表示手段と、を有し、
前記表示手段は、
前記第１の画像データと、前記第２の画像データと、の間に、少なくとも１つの前記補完画像データを介在させて表示することを特徴とする画像表示装置。
【請求項２】
前記第１のデータ保持手段と、前記第２のデータ保持手段と、は、
前記画像データ生成手段により生成した画像データを交互に保持することを特徴とする請求項１記載の画像表示装置。
【請求項３】
前記半透過合成の合成比率を制御する合成比率制御手段を有し、
前記半透過合成手段は、
前記合成比率制御手段により制御された合成比率で、前記第１の画像データと、前記第２の画像データと、を半透過合成することを特徴とする請求項１記載の画像表示装置。
【請求項４】
前記第１の画像データと、前記第２の画像データと、の間に介在させる前記補完画像データの数を設定する補完画像データ数設定手段を有することを特徴とする請求項１記載の画像表示装置。
【請求項５】
画像データを表示する表示部を有する画像表示装置において行う画像表示方法であって、
画像データを生成する画像データ生成工程と、
前記画像データ生成工程により生成した第１の画像データを保持する第１のデータ保持工程と、
前記画像データ生成工程により生成した第２の画像データを保持する第２のデータ保持工程と、
前記第１のデータ保持工程により保持された第１の画像データと、前記第２のデータ保持工程により保持された第２の画像データと、を半透過合成し、補完画像データを生成する半透過合成工程と、
前記第１のデータ保持工程により保持された第１の画像データと、前記第２のデータ保持工程により保持された第２の画像データと、前記半透過合成工程により生成した補完画像データと、を前記表示部に表示する表示工程と、を、前記画像表示装置が行い、
前記表示工程は、
前記第１の画像データと、前記第２の画像データと、の間に、少なくとも１つの前記補完画像データを介在させて表示することを特徴とする画像表示方法。
【請求項６】
前記第１のデータ保持工程と、前記第２のデータ保持工程と、は、
前記画像データ生成工程により生成した画像データを交互に保持することを特徴とする請求項５記載の画像表示方法。
【請求項７】
前記半透過合成の合成比率を制御する合成比率制御工程を、前記画像表示装置が行い、
前記半透過合成工程は、
前記合成比率制御工程により制御された合成比率で、前記第１の画像データと、前記第２の画像データと、を半透過合成することを特徴とする請求項５記載の画像表示方法。
【請求項８】
前記第１の画像データと、前記第２の画像データと、の間に介在させる前記補完画像データの数を設定する補完画像データ数設定工程を、前記画像表示装置が行うことを特徴とする請求項５記載の画像表示方法。
【請求項９】
画像データを表示する表示部を有する画像表示装置において実行させる画像表示プログラムであって、
画像データを生成する画像データ生成処理と、
前記画像データ生成処理により生成した第１の画像データを保持する第１のデータ保持処理と、
前記画像データ生成処理により生成した第２の画像データを保持する第２のデータ保持処理と、
前記第１のデータ保持処理により保持された第１の画像データと、前記第２のデータ保持処理により保持された第２の画像データと、を半透過合成し、補完画像データを生成する半透過合成処理と、
前記第１のデータ保持処理により保持された第１の画像データと、前記第２のデータ保持処理により保持された第２の画像データと、前記半透過合成処理により生成した補完画像データと、を前記表示部に表示する表示処理と、を、前記画像表示装置に実行させ、
前記表示処理は、
前記第１の画像データと、前記第２の画像データと、の間に、少なくとも１つの前記補完画像データを介在させて表示することを特徴とする画像表示プログラム。
【請求項１０】
前記第１のデータ保持処理と、前記第２のデータ保持処理と、は、
前記画像データ生成処理により生成した画像データを交互に保持することを特徴とする請求項９記載の画像表示プログラム。
【請求項１１】
前記半透過合成の合成比率を制御する合成比率制御処理を、前記画像表示装置に実行させ、
前記半透過合成処理は、
前記合成比率制御処理により制御された合成比率で、前記第１の画像データと、前記第２の画像データと、を半透過合成することを特徴とする請求項９記載の画像表示プログラム。
【請求項１２】
前記第１の画像データと、前記第２の画像データと、の間に介在させる前記補完画像データの数を設定する補完画像データ数設定処理を、前記画像表示装置に実行させることを特徴とする請求項９記載の画像表示プログラム。
【発明の詳細な説明】
【技術分野】
【０００１】
本発明は、動画等の画像データを表示する画像表示装置、その画像表示装置における画像表示方法及び画像表示プログラムに関し、特に、半透過合成（アルファブレンド）機能を用いて画像データを表示する画像表示装置、画像表示方法及び画像表示プログラムに関するものである。
【背景技術】
【０００２】
従来、携帯電話機等のようにデコーダの処理能力が低い小型の通信端末装置では、十分なフレームレートを確保することが困難であった。このため、デコーダの処理能力が低い小型の通信端末装置では、画像データを表示部に表示する際のフレームレートよりも低いフレームレートで画像データを生成し、その生成した画像データを表示部に表示していたため、最終的に表示部に表示される画像データが不連続な画像データとして表示されていた。このため、デコーダの処理能力を向上させ、高いフレームレートで画像データを出力させる必要があった。
【０００３】
しかしながら、携帯電話機等の小型の通信端末装置では、デコーダの処理能力を向上させることは困難であるため、デコーダの処理能力を向上させずに、連続的な画像データを表示部に表示させるための代替手段が所望されているのが現状である。
【０００４】
なお、本発明より先に出願された技術文献として、画像を複数の部分画像に分割する分割手段と、前記分割手段によって得られた部分画像の各々について、部分画像の特徴量に基づいて予め用意された複数の素材画像の一つを選択する選択手段と、前記選択手段で選択された素材画像と前記部分画像とを合成する合成手段と、前記合成手段によって得られた合成画像を前記部分画像に置き換えることによって処理画像を生成する生成手段とを備え、少数の素材画像で多様な元画像を適切に反映したモザイク画像を生成することが可能な画像処理装置が開示された文献がある（例えば、特許文献１参照）。
【０００５】
また、多角形の画像データを画像メモリに格納しつつ、前記画像データを出力する際に生ずるエイリアシングを中間色で補完する画像描画装置において、前記画像メモリに前記多角形の一部をなす画素の画情報を格納する際に、該画素の画素位置と前記画像メモリに以前に格納した画素の画素位置との差分に基づいて、前記エイリアシングの補完対象となる画素列を特定する特定手段と、前記特定手段により特定された画素列の画素数に基づいて該画素列を形成する各画素の半透明率を算定する半透明率算定手段と、前記半透明率算定手段により算定された半透明率に基づいて前記補完対象となる画素列の半透明処理をおこなう処理手段と、を備え、多角形の各辺に現れる画素単位の段階状の境界を滑らかに見せるアンチエイリアシング処理を少ないメモリ容量下で高速に行うことができる画像描画装置が開示された文献がある（例えば、特許文献２参照）。
【０００６】
また、第１画像と第２画像を取得する画像入力部と、取得された第１画像および第２画像の間でマッチングを計算し、第１画像上の点に対応する第２画像上の点を検出するマッチングプロセッサと、前記第１画像上の点と前記第２画像上の点を補間して中間画像を生成する中間画像生成部とを含み、中間画像生成部は、前記第１画像上の点の座標と前記第２画像上の点の座標はそれらをともに補間計算に投入する一方、それらの点の色については補間計算をスキップし、それらの点の一方の色をそのまま補間の結果として利用することで、少ない画像データをもとに動画を生成または表示できる画像補間装置が開示された文献がある（例えば、特許文献３参照）。
【特許文献１】特開平１１−３４５３２８号公報
【特許文献２】特開２０００−３１５０７３号公報
【特許文献３】特開２００２−２３２９０８号公報
【発明の開示】
【発明が解決しようとする課題】
【０００７】
なお、上記特許文献１〜３では、複雑な処理を行い、画像データを表示するものであり、本願発明のように、画像データを生成する機能の処理能力を向上させることなく、連続的な画像データを表示させるようにしたものではない。
【０００８】
本発明は、上記事情に鑑みてなされたものであり、画像データを生成する機能の処理能力を向上させることなく、連続的な画像データを表示することを可能とする画像表示装置、画像表示方法及び画像表示プログラムを提供することを目的とするものである。
【課題を解決するための手段】
【０００９】
かかる目的を達成するために、本発明は以下の特徴を有することとする。
【００１０】
本発明にかかる画像表示装置は、画像データを生成する画像データ生成手段と、画像データ生成手段により生成した第１の画像データを保持する第１のデータ保持手段と、画像データ生成手段により生成した第２の画像データを保持する第２のデータ保持手段と、第１のデータ保持手段により保持された第１の画像データと、第２のデータ保持手段により保持された第２の画像データと、を半透過合成し、補完画像データを生成する半透過合成手段と、第１のデータ保持手段により保持された第１の画像データと、第２のデータ保持手段により保持された第２の画像データと、半透過合成手段により生成した補完画像データと、を表示する表示手段と、を有し、表示手段は、第１の画像データと、第２の画像データと、の間に、少なくとも１つの補完画像データを介在させて表示することを特徴とするものである。
【００１１】
また、本発明にかかる画像表示装置において、第１のデータ保持手段と、第２のデータ保持手段と、は、画像データ生成手段により生成した画像データを交互に保持することを特徴とするものである。
【００１２】
また、本発明にかかる画像表示装置は、半透過合成の合成比率を制御する合成比率制御手段を有し、半透過合成手段は、合成比率制御手段により制御された合成比率で、第１の画像データと、第２の画像データと、を半透過合成することを特徴とするものである。
【００１３】
また、本発明にかかる画像表示装置は、第１の画像データと、第２の画像データと、の間に介在させる補完画像データの数を設定する補完画像データ数設定手段を有することを特徴とするものである。
【００１４】
また、本発明にかかる画像表示方法は、画像データを表示する表示部を有する画像表示装置において行う画像表示方法であって、画像データを生成する画像データ生成工程と、画像データ生成工程により生成した第１の画像データを保持する第１のデータ保持工程と、画像データ生成工程により生成した第２の画像データを保持する第２のデータ保持工程と、第１のデータ保持工程により保持された第１の画像データと、第２のデータ保持工程により保持された第２の画像データと、を半透過合成し、補完画像データを生成する半透過合成工程と、第１のデータ保持工程により保持された第１の画像データと、第２のデータ保持工程により保持された第２の画像データと、半透過合成工程により生成した補完画像データと、を表示部に表示する表示工程と、を、画像表示装置が行い、表示工程は、第１の画像データと、第２の画像データと、の間に、少なくとも１つの補完画像データを介在させて表示することを特徴とするものである。
【００１５】
また、本発明にかかる画像表示方法において、第１のデータ保持工程と、第２のデータ保持工程と、は、画像データ生成工程により生成した画像データを交互に保持することを特徴とするものである。
【００１６】
また、本発明にかかる画像表示方法は、半透過合成の合成比率を制御する合成比率制御工程を、画像表示装置が行い、半透過合成工程は、合成比率制御工程により制御された合成比率で、第１の画像データと、第２の画像データと、を半透過合成することを特徴とするものである。
【００１７】
また、本発明にかかる画像表示方法は、第１の画像データと、第２の画像データと、の間に介在させる補完画像データの数を設定する補完画像データ数設定工程を、画像表示装置が行うことを特徴とするものである。
【００１８】
また、本発明にかかる画像表示プログラムは、画像データを表示する表示部を有する画像表示装置において実行させる画像表示プログラムであって、画像データを生成する画像データ生成処理と、画像データ生成処理により生成した第１の画像データを保持する第１のデータ保持処理と、画像データ生成処理により生成した第２の画像データを保持する第２のデータ保持処理と、第１のデータ保持処理により保持された第１の画像データと、第２のデータ保持処理により保持された第２の画像データと、を半透過合成し、補完画像データを生成する半透過合成処理と、第１のデータ保持処理により保持された第１の画像データと、第２のデータ保持処理により保持された第２の画像データと、半透過合成処理により生成した補完画像データと、を表示部に表示する表示処理と、を、画像表示装置に実行させ、表示処理は、第１の画像データと、第２の画像データと、の間に、少なくとも１つの補完画像データを介在させて表示することを特徴とするものである。
【００１９】
また、本発明にかかる画像表示プログラムにおいて、第１のデータ保持処理と、第２のデータ保持処理と、は、画像データ生成処理により生成した画像データを交互に保持することを特徴とするものである。
【００２０】
また、本発明にかかる画像表示プログラムは、半透過合成の合成比率を制御する合成比率制御処理を、画像表示装置に実行させ、半透過合成処理は、合成比率制御処理により制御された合成比率で、第１の画像データと、第２の画像データと、を半透過合成することを特徴とするものである。
【００２１】
また、本発明にかかる画像表示プログラムは、第１の画像データと、第２の画像データと、の間に介在させる補完画像データの数を設定する補完画像データ数設定処理を、画像表示装置に実行させることを特徴とするものである。
【発明の効果】
【００２２】
本発明は、画像データを生成する画像データ生成手段により生成した第１の画像データを保持する第１のデータ保持手段と、画像データ生成手段により生成した第２の画像データを保持する第２のデータ保持手段と、第１のデータ保持手段により保持された第１の画像データと、第２のデータ保持手段により保持された第２の画像データと、を半透過合成し、補完画像データを生成する半透過合成手段と、第１のデータ保持手段により保持された第１の画像データと、第２のデータ保持手段により保持された第２の画像データと、半透過合成手段により生成した補完画像データと、を表示する表示手段と、を有し、表示手段は、第１の画像データと、第２の画像データと、の間に、少なくとも１つの補完画像データを介在させて表示することを特徴とするものである。これにより、画像データを生成する画像生成手段の処理能力を向上させることなく、連続的な画像データを表示することが可能となる。
【発明を実施するための最良の形態】
【００２３】
まず、図１を参照しながら、本実施形態の画像表示装置の特徴について説明する。
【００２４】
本実施形態の画像表示装置は、画像データを生成する画像データ生成手段（デコーダ５に相当）と、画像データ生成手段（５）により生成した第１の画像データを保持する第１のデータ保持手段（第１のバッファフレーム２に相当）と、画像データ生成手段（５）により生成した第２の画像データを保持する第２のデータ保持手段（第２のバッファフレーム３に相当）と、第１のデータ保持手段（２）により保持された第１の画像データと、第２のデータ保持手段（３）により保持された第２の画像データと、を半透過合成し、補完画像データを生成する半透過合成手段（表示コントローラ１に相当）と、第１のデータ保持手段（２）により保持された第１の画像データと、第２のデータ保持手段（３）により保持された第２の画像データと、半透過合成手段（１）により生成した補完画像データと、を表示する表示手段（表示部４に相当）と、を有し、表示手段（４）は、第１の画像データと、第２の画像データと、の間に、少なくとも１つの補完画像データを介在させて表示することを特徴とするものである。これにより、画像データを生成する画像生成手段（エンコーダ５に相当）の処理能力を向上させることなく、連続的な画像データを表示することが可能となる。以下、添付図面を参照しながら、本実施形態の画像表示装置について説明する。
【００２５】
まず、図１を参照しながら、本実施形態の画像表示装置について説明する。
【００２６】
本実施形態における画像表示装置は、デコーダ（５）と、第１のフレームバッファ（２）と、第２のフレームバッファ（３）と、表示コントローラ（１）と、表示部（４）と、を有して構成される。
【００２７】
デコーダ（５）は、画像データを生成するものであり、ＣＰＵや、ＤＳＰ等で構成される。なお、デコーダ（５）において生成した画像データは、偶数フレーム、奇数フレーム毎に、第１のフレームバッファ（２）、または、第２のフレームバッファ（３）に出力される。なお、本実施形態では、偶数フレームの画像データが第１のフレームバッファ（２）に出力されることになり、奇数フレームの画像データが第２のフレームバッファ（３）に出力されることになる。
【００２８】
第１のフレームバッファ（２）、及び、第２のフレームバッファ（３）は、デコーダ（５）から入力された画像データをバッファリングするものである。なお、第１のフレームバッファ（２）、及び、第２のフレームバッファ（３）にバッファリングされた画像データは、表示コントローラ（１）に出力される。
【００２９】
表示コントローラ（１）は、第１のフレームバッファ（２）と、第２のフレームバッファ（３）と、に保持された画像データを表示部（５）に表示する際の表示制御を行うものであり、表示コントローラ（１）は、第１のフレームバッファ（２）に保持された画像データと、第２のフレームバッファ（３）に保持された画像データと、を半透過合成（アルファブレンド）機能を用いて半透過合成を行い、その半透過合成を行った画像データを表示部（４）に表示したり、第１のフレームバッファ（２）に保持された画像データをそのまま表示部（４）に表示したり、第２のフレームバッファ（３）の保持された画像データをそのまま表示部（４）に表示したりすることになる。
【００３０】
表示部（４）は、表示コントローラ（１）から入力された画像データを表示するものである。
【００３１】
次に、図２を参照しながら、本実施形態の画像表示装置における一連の制御動作について説明する。なお、図２は、偶数フレームの画像データ、補完フレームの画像データ、奇数フレームの画像データ、を表示部（４）に表示する際の制御動作を示す図である。なお、補完フレームとは、偶数フレームの画像データと、奇数フレームの画像データと、を半透過合成して生成した画像データをいう。
【００３２】
まず、デコーダ（５）は、偶数フレーム、奇数フレームに分けて画像データを生成し、偶数フレームの画像データの場合には、第１のフレームバッファ（２）に出力する。また、デコーダ（５）は、奇数フレームの画像データの場合には、第２のフレームバッファ（３）に出力する。これにより、第１のフレームバッファ（２）は、偶数フレームの画像データを保持し、第２のフレームバッファ（３）は、奇数フレームの画像データを保持することになる。
【００３３】
次に、表示コントローラ（１）は、図２（ａ）に示すように、第１のフレームバッファ（２）に保持された偶数フレームの画像データを取得し、その取得した偶数フレームの画像データをそのまま表示部（４）に表示する。
【００３４】
次に、図２（ｂ）に示すように、奇数フレームの画像データがデコーダ（５）から第２のフレームバッファ（３）に出力され、第２のフレームバッファ（３）に保持された奇数フレームの画像データが更新された際に、表示コントローラ（１）は、第１のフレームバッファ（２）に保持された偶数フレームの画像データと、第２のフレームバッファ（３）に保持された更新後の奇数フレームの画像データと、を取得し、その取得した偶数フレームの画像データと、更新後の奇数フレームの画像データと、を所定の合成比率で、半透過合成を行い、その半透過合成を行った補完フレームの画像データを表示部（４）に表示する。
【００３５】
次に、表示コントローラ（１）は、図２（ｃ）に示すように、第２のフレームバッファ（３）に保持された奇数フレームの画像データを取得し、その取得した奇数フレームの画像データをそのまま表示部（４）に表示する。
【００３６】
次に、図２（ｄ）に示すように、偶数フレームの画像データがデコーダ（５）から第１のフレームバッファ（２）に出力され、第１のフレームバッファ（２）に保持された偶数フレームの画像データが更新された際に、表示コントローラ（１）は、第１のフレームバッファ（２）に保持された更新後の偶数フレームの画像データと、第２のフレームバッファ（３）に保持された奇数フレームの画像データと、を取得し、その取得した更新後の偶数フレームの画像データと、奇数フレームの画像データと、を所定の合成比率で、半透過合成を行い、その半透過合成を行った補完フレームの画像データを表示部（４）に表示する。
【００３７】
このように、本実施形態における画像表示装置は、デコーダ（５）において生成した画像データを、奇数フレームと、偶数フレームと、に振り分け、偶数フレームの画像データを第１のフレームバッファ（２）に出力し、また、奇数フレームの画像データを第２のフレームバッファ（３）に出力し、表示コントローラ（１）は、任意のタイミングで、第１のフレームバッファ（２）及び第２のフレームバッファ（３）を切り替え、図２（ａ）に示す偶数フレームの画像データ、図２（ｂ）に示す補完フレームの画像データ、図２（ｃ）に示す奇数フレームの画像データ、図２（ｄ）に示す補完フレームの画像データを巡回させて表示部（４）に表示することになる。これにより、本実施形態における画像表示装置は、図２（ａ）に示す偶数フレームの画像データと、図２（ｃ）に示す奇数フレームの画像データと、の他に、偶数フレームの画像データと、奇数フレームの画像データと、のフレーム間を補完した図２（ｂ）、図２（ｄ）に示す補完フレームを、偶数フレームの画像データと、奇数フレームの画像データと、の間に介在させて表示部（４）に表示することになるため、連続的な画像データを表示部（４）に表示することが可能となる。また、本実施形態における画像表示装置は、第１のフレームバッファ（２）に保持した偶数フレームの画像データと、第２のフレームバッファ（３）に保持した奇数フレームの画像データと、半透過合成を行った補完フレームの画像データと、を用いて連続的な画像データを表示部（４）に表示することになるため、デコーダ（５）の処理能力を向上させることなく、連続的な画像データを表示部（４）に表示することが可能となる。
【００３８】
（第２の実施形態）
次に、第２の実施形態について説明する。
【００３９】
第１の実施形態における画像表示装置は、第１のフレームバッファ（２）に保持した偶数フレームの画像データと、第２のフレームバッファ（３）に保持した奇数フレームの画像データと、の間に、偶数フレームの画像データと奇数フレームの画像データとを半透過合成して形成した１つの補完フレームの画像データを介在させて表示部（４）に表示し、表示部（４）に表示させるフレーム画像データを２倍に増加させることにしたが、第２の実施形態における画像表示装置は、偶数フレームの画像データと、奇数フレームの画像データと、の間に、複数の補完フレームの画像データを介在させて表示部（４）に表示することを特徴とするものである。これにより、表示部（４）に表示させるフレーム画像データを数倍に増加させ、更になめらかな画像データを表示部（４）に表示することが可能となる。以下、図３、図４を参照しながら、第２の実施形態における画像表示装置について説明する。なお、図３、図４は、偶数フレームの画像データ、補完フレームの画像データ、奇数フレームの画像データ、を表示部（４）に表示する際の制御動作を示す図であり、表示部（４）に表示させるフレーム画像データを４倍に増加させた場合の制御動作を示す図である。なお、第２の実施形態における画像表示装置は、介在させる補完フレームの数に応じて、補完フレームを生成する際の合成比率を制御し、その制御した合成比率で、偶数フレームの画像データと、奇数フレームの画像データと、を半透過合成することになる。また、介在させる補完フレームの数は、任意に設定することが可能であり、画像表示装置は、その設定された補完フレームの数を、偶数フレームの画像データと、奇数フレームの画像データと、の間に介在させて表示部（４）に表示することになる。
【００４０】
まず、デコーダ（５）は、偶数フレーム、奇数フレームに分けて画像データを生成し、偶数フレームの画像データの場合には、第１のフレームバッファ（２）に出力する。また、デコーダ（５）は、奇数フレームの画像データの場合には、第２のフレームバッファ（３）に出力する。これにより、第１のフレームバッファ（２）は、偶数フレームの画像データを保持し、第２のフレームバッファ（３）は、奇数フレームの画像データを保持することになる。
【００４１】
まず、表示コントローラ（１）は、図３（ａ）に示すように、第１のフレームバッファ（２）に保持された偶数フレームの画像データと、第２のフレームバッファ（３）に保持された奇数フレームの画像データと、を取得し、その取得した偶数フレームの画像データと、奇数フレームの画像データと、を基に、半透過合成を行い、偶数フレームの画像データが１００％で、奇数フレームの画像データが０％の補完フレームの画像データを生成し、その生成した補完フレームの画像データを表示部（４）に表示する。
【００４２】
次に、表示コントローラ（１）は、図３（ｂ）に示すように、デコーダ（５）から奇数フレームの画像データが第２のフレームバッファ（３）に出力され、第２のフレームバッファ（３）に保持された奇数フレームの画像データが更新された際に、表示コントローラ（１）は、第１のフレームバッファ（２）に保持された偶数フレームの画像データと、第２のフレームバッファ（３）に保持された更新後の奇数フレームの画像データと、を取得し、その取得した偶数フレームの画像データと、更新後の奇数フレームの画像データと、を基に、半透過合成を行い、偶数フレームの画像データが７５％で、更新後の奇数フレームの画像データが２５％の補完フレームの画像データを生成し、その生成した補完フレームの画像データを表示部（４）に表示する。
【００４３】
次に、表示コントローラ（１）は、図３（ｃ）に示すように、偶数フレームの画像データが５０％で、更新後の奇数フレームの画像データが５０％の補完フレームの画像データを生成し、その生成した補完フレームの画像データを表示部（４）に表示する。
【００４４】
次に、表示コントローラ（１）は、図３（ｄ）に示すように、偶数フレームの画像データが２５％で、更新後の奇数フレームの画像データが７５％の補完フレームの画像データを生成し、その生成した補完フレームの画像データを表示部（４）に表示する。
【００４５】
次に、表示コントローラ（１）は、図４（ａ）に示すように、偶数フレームの画像データが０％で、更新後の奇数フレームの画像データが１００％の補完フレームの画像データを生成し、その生成した補完フレームの画像データを表示部（４）に表示する。
【００４６】
次に、表示コントローラ（１）は、図４（ｂ）に示すように、デコーダ（５）から偶数フレームの画像データが第１のフレームバッファ（２）に出力され、第１のフレームバッファ（２）に保持された偶数フレームの画像データが更新された際に、表示コントローラ（１）は、第１のフレームバッファ（２）に保持された更新後の偶数フレームの画像データと、第２のフレームバッファ（３）に保持された更新後の奇数フレームの画像データと、を取得し、その取得した更新後の偶数フレームの画像データと、更新後の奇数フレームの画像データと、を基に、半透過合成を行い、更新後の偶数フレームの画像データが２５％で、更新後の奇数フレームの画像データが７５％の補完フレームの画像データを生成し、その生成した補完フレームの画像データを表示部（４）に表示する。
【００４７】
次に、表示コントローラ（１）は、図４（ｃ）に示すように、更新後の偶数フレームの画像データが５０％で、更新後の奇数フレームの画像データが５０％の補完フレームの画像データを生成し、その生成した補完フレームの画像データを表示部（４）に表示する。
【００４８】
次に、表示コントローラ（１）は、図４（ｄ）に示すように、更新後の偶数フレームの画像データが２５％で、更新後の奇数フレームの画像データが７５％の補完フレームの画像データを生成し、その生成した補完フレームの画像データを表示部（４）に表示する。
【００４９】
次に、表示コントローラ（１）は、図３（ａ）に示すように、更新後の偶数フレームの画像データが１００％で、更新後の奇数フレームの画像データが０％の補完フレームの画像データを生成し、その生成した補完フレームの画像データを表示部（４）に表示することになる。
【００５０】
このように、第２の実施形態における画像表示装置は、偶数フレームの画像データと、奇数フレームの画像データと、の間に、複数の補完フレームの画像データを介在させ、図３と、図４と、の処理動作を交互に行うことで、例えば、偶数フレームの画像データ（Ａ）と、奇数フレームの画像データ（Ｂ）と、の合成比率（Ａ：Ｂ）を、６７％：３３％、３３％：６７％、として補完フレームを増加することで、フレーム画像データを３倍に増加することが可能となり、また、合成比率（Ａ：Ｂ）を、７５％：２５％、５０％：５０％、２５％：７５％として補完フレームを増加することで、フレーム画像データを４倍に増加することが可能となり、画像データをさらに滑らかに表示部（４）に表示することが可能となる。
【００５１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５２】
例えば、上述した本実施形態の画像表示装置における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、画像表示装置に読み込ませることで、上述した制御動作を、画像表示装置において実行させることも可能である。また、所定のネットワークを介して接続されている外部機器から上記プログラムを画像表示装置に読み込ませることで、上述した制御動作を、画像表示装置において実行させることも可能である。
【産業上の利用可能性】
【００５３】
本発明にかかる画像表示装置、画像表示方法及び画像表示プログラムは、表示装置を搭載した携帯電話機、ＰＨＳ等の小型の電子機器に適用可能である。
【図面の簡単な説明】
【００５４】
【図１】本実施形態の画像表示装置の構成を示す図である。
【図２】本実施形態の画像表示装置における一連の処理動作を示す図である。
【図３】第２の実施形態の画像表示装置における処理動作を示す第１の図である。
【図４】第２の実施形態の画像表示装置における処理動作を示す第２の図である。
【符号の説明】
【００５５】
１    表示コントローラ
２    第１のフレームバッファ
３    第２のフレームバッファ
４    表示部
５    デコーダ
【図１】
2007219078.tif 000003
【図２】
2007219078.tif 000004
【図３】
2007219078.tif 000005
【図４】
2007219078.tif 000006